(57)【要約】【課題】ＡＣアダプタの特性を考慮して装置内の最適な位置にＡＣアダプタを収納できるようにし、他の部品の破損を防止しつつ設置時の安定性を向上できるようにする。【解決手段】周辺機器である店舗側ディスプレイ１１、顧客側ディスプレイ１２、プリンタ１３を、本体１の上面における背面１Ａ側に設定された載置部１Ｃに載置する。制御ユニット２１を、本体１の内部における背面側１Ａの位置に収納する。ＡＣアダプタ２２を、本体１の内部における前面１Ｂ側の位置に収納する。本体１の内部には、背面１Ａ側の位置に収納される制御ユニット２１と、前面１Ｂ側の位置に収納されるＡＣアダプタ２２と、の間に空間３０２が形成される。【選択図】  図１
2016051308.tif 000002
【特許請求の範囲】
【請求項１】
上面の第１の端部側の位置に周辺機器が載置される載置部を有する中空筐体の本体と、
前記本体の内部における前記第１の端部側の位置に収納される制御ユニットと、
外部の交流電源を直流電源に変換して前記制御ユニットに供給するＡＣアダプタであって、前記本体の内部における前記第１の端部とは反対側の第２の端部側の位置に前記制御ユニットとの間に空間を設けて収納されるＡＣアダプタと、
を備えた情報処理端末装置。
【請求項２】
前記本体の前記第２端部側の高さは、前記第１の端部側の高さよりも低い請求項１に記載の情報処理端末装置。
【請求項３】
前記ＡＣアダプタと前記本体の上面との間に、前記ＡＣアダプタの上面に全面にわたって対向する放熱板を配置した請求項１又は２に記載の情報処理端末装置。
【発明の詳細な説明】
【技術分野】
【０００１】
この発明は、電子キャッシュレジスタやＰＯＳ端末等の情報処理端末装置に関し、交流電源を直流電源に変換するＡＣアダプタを備えた情報処理端末装置に関する。
【背景技術】
【０００２】
電子キャッシュレジスタやＰＯＳ端末等の情報処理端末装置は、ディスプレイ、印字装置、スキャナ及びキーボード等の周辺機器を本体内に収納された制御ユニットに接続して構成されている。制御ユニットは、ＵＳＢメモリ等の外部記録媒体が装着されるコネクタ、ハードディスクドライブが挿入されるスロット、外部のホスト装置との接続用の通信ケーブルが装着されるＩ／Ｏポート等の接続部材を備えている。制御ユニット及び周辺機器は、直流電源により駆動される。
【０００３】
情報処理端末装置では、交流電源を直流電源に変換するために、例えば、特許文献１に記載されているようなＡＣアダプタを備えている。
【先行技術文献】
【特許文献】
【０００４】
【特許文献１】特開２００４−２８１２４６号公報
【発明の概要】
【発明が解決しようとする課題】
【０００５】
しかし、従来の情報処理端末装置では、装置の電源部から延出して商用電源のコンセントに接続される電源ケーブルの途中で、装置の外部にＡＣアダプタを配置しており、電源ケーブルの取り回しの自由度が低下する問題があった。
【０００６】
このため、ＡＣアダプタを装置内に収納することが考えられるが、ＡＣアダプタは使用中に高温になり易く、他の部品に比較して重いため、装置内における収納位置が不適切であると、他の部品が熱によって破損したり、装置を安定して設置できなくなる。
【０００７】
この発明の目的は、ＡＣアダプタの特性を考慮して装置内の最適な位置にＡＣアダプタを収納できるようにし、他の部品の破損を防止しつつ設置時の安定性を向上できる情報処理端末装置を提供することにある。
【課題を解決するための手段】
【０００８】
この発明の情報処理端末装置は、本体、電気機器ユニット、ＡＣアダプタを備えている。本体は、中空筐体であり、上面の第１の端部側の位置に周辺機器が載置される載置部を有している。制御ユニットは、本体の内部における第１の端部側の位置に収納される。ＡＣアダプタは、外部の交流電源を直流電源に変換して制御ユニットに供給する。ＡＣアダプタは、本体の内部における第１の端部とは反対側の第２の端部側の位置に制御ユニットとの間に空間を設けて収納される。
【０００９】
本体の内部には、第１の端部側の位置に収納される制御ユニットと、第２の端部側の位置に収納されるＡＣアダプタと、の間に空間が形成される。ＡＣアダプタで発生した熱が制御ユニットに直接伝播することがなく、制御ユニットの温度上昇が抑制される。本体の上面で周辺機器が載置される載置部は本体の内部でＡＣアダプタが収納されている位置とは反対側であるため、第１の端部及び第２の端部を含む断面において装置の重量バランスが保たれる。
【００１０】
この構成において、本体の第２端部側の高さは第１の端部側の高さよりも低いものとすることができる。ＡＣアダプタと本体上面との距離が短縮され、ＡＣアダプタの熱を外部に放熱し易くなる。また、ＡＣアダプタが相対的に低い位置に収納され、装置の重量バランスがより安定する。
【００１１】
ＡＣアダプタと本体の上面との間に、ＡＣアダプタの上面に全面にわたって対向する放熱板を配置することが好ましい。放熱板を介してＡＣアダプタの熱を効果的に放熱できる。
【発明の効果】
【００１２】
この発明によれば、ＡＣアダプタの特性を考慮して装置内の最適な位置にＡＣアダプタを収納することができ、他の部品の破損を防止することができるとともに、設置時の安定性を向上できる。
【図面の簡単な説明】
【００１３】
【図１】この発明の第１の実施形態に係るＰＯＳ端末装置の側面図である。
【図２】この発明の第２の実施形態に係るＰＯＳ端末装置の外観図である。
【図３】同第２の実施形態に係るＰＯＳ端末装置の概略の組立図である。
【図４】同第２の実施形態に係るＰＯＳ端末装置の概略の側面図である。
【図５】この発明の第３の実施形態に係るＰＯＳ端末装置の要部の側面図である。
【発明を実施するための形態】
【００１４】
以下に、この発明の実施形態に係る情報処理端末装置についてＰＯＳ端末装置を例にあげて、図面を参照しつつ説明する。
【００１５】
図１示すように、この発明の第１の実施形態に係るＰＯＳ端末装置１０Ａは、本体１、店舗側ディスプレイ１１、顧客側ディスプレイ１２、プリンタ１３、制御ユニット２１、ＡＣアダプタ２２を備えている。
【００１６】
周辺機器である店舗側ディスプレイ１１、顧客側ディスプレイ１２、プリンタ１３は、本体１の上面における背面１Ａ側（第１の端部側）に設定された載置部１Ｃに載置されている。制御ユニット２１は、本体１の内部における背面側１Ａの位置に収納されている。したがって、制御ユニット２１は、載置部１Ｃの下方の位置に収納されている。ＡＣアダプタ２２は、本体１の内部における前面１Ｂ側（第２の端部側）の位置に収納されている。
【００１７】
本体１の内部には、背面１Ａ側の位置に収納される制御ユニット２１と、前面１Ｂ側の位置に収納されるＡＣアダプタ２２と、の間に空間３０２が形成される。ＡＣアダプタ２２で発生した熱が制御ユニット２１に直接伝播することがなく、制御ユニット２１の温度上昇が抑制され、制御ユニット２１が備える電気部品の破損を抑制できる。
【００１８】
本体１の上面に設定された載置部１Ｃは本体１の内部でＡＣアダプタ２２が収納されている位置とは反対側であるため、背面１Ａ及び前面１Ｂを含む側面断面においてＰＯＳ端末装置１０Ａの重量バランスを保つことができ、ＰＯＳ端末装置１０Ａを安定して設置できる。
【００１９】
図２に示すように、この発明の第２の実施形態に係るＰＯＳ端末装置１０Ｂは、本体１の前面側に上側前カバー２、下側前カバー３を着脱自在にしている。本体１は、上面における背面側の載置部１Ｃに、店舗側ディスプレイ１１、顧客側ディスプレイ１２及びプリンタ１３を備えている。店舗側ディスプレイ１１及び顧客側ディスプレイ１２は、それぞれ支柱１１１，１２１を介して本体１の上面から上方に離間して配置される。上側前カバー２は、キーボード１４を一体的に備えている。下側前カバー３は、上側前カバー２の下方に位置する。店舗側ディスプレイ１１、顧客側ディスプレイ１２、プリンタ１３は、この発明の周辺機器である。
【００２０】
店舗側ディスプレイ１１は、表示面を前面側に存在する店舗従業員に対向するように配置され、店舗作業員に表示すべき情報を表示する。顧客側ディスプレイ１２は、表示面を背面側に存在する顧客に対向するように配置され、顧客に表示すべき情報を表示する。プリンタ１３は、レシートを印字する。キーボード１４は、店舗従業員による販売時点情報の入力操作を受け付ける。本体１は、前面に周辺機器としてのカードリーダを備えることもできる。カードリーダは、店舗従業員が保持する従業員カード及び顧客が所有する顧客カードの挿入を受け付け、従業員カード及び顧客カードに記録されているカードデータを読み取る。
【００２１】
ＰＯＳ端末装置１０Ｂは、キーボード１４から入力された販売時点情報を内部の記録媒体に記録し、通信ケーブルを介して外部のホスト装置に送信する。
【００２２】
図３に示すように、本体１は、前面側に開口部１０１を有する中空筐体である。上側前カバー２は、本体１の前面側に上方から着脱自在に装着される。下側前カバー３は、本体１の前面側に前方から着脱自在にされている。制御ユニット２１は、開口部１０１を経由して前方から本体１内に挿入される。下側前カバー３は、本体１の前面側でＡＣアダプタ２２を収納する。ＡＣアダプタ２２は、下側前カバー３に上方から載置される。上側前カバー２及び下側前カバー３は、開口部１０１を閉塞する状態で本体１の前面側に装着される。上側前カバー２は、本体１に下側前カバー３を装着した後に、本体１に装着される。
【００２３】
図４に示すように、本体１内に制御ユニット２１を収納し、本体１に上側前カバー２及び下側前カバー３を装着した状態で、本体１内に収納された制御ユニット２１の前面と上側前カバー２及び下側前カバー３との間には、前部空間３０２が形成される。前部空間３０２は、本体１の前後方向に並ぶ第１前部空間３０２Ａと第２前部空間３０２Ｂとで構成されている。第１前部空間３０２Ａは、第２前部空間３０２Ｂの前方で下側前カバー３の上方に位置している。第１前部空間３０２Ａには、ＡＣアダプタ２２が配置されている。第２前部空間３０２Ｂは、ＡＣアダプタ２２の背面と制御ユニット１の前面との間に位置する。
【００２４】
以上の構成により、本体１の内部には、背面１Ａ側の位置に収納される制御ユニット２１と、前面１Ｂ側の位置に収納されるＡＣアダプタ２２と、の間に第２前部空間３０２Ｂが形成される。ＡＣアダプタ２２で発生した熱が制御ユニット２１に直接伝播することがなく、制御ユニット２１の温度上昇が抑制され、制御ユニット２１が備える電気部品の破損を抑制できる。
【００２５】
本体１の上面に設定された載置部１Ｃは本体１の内部でＡＣアダプタ２２が収納されている位置とは反対側であるため、背面１Ａ及び前面１Ｂを含む側面断面においてＰＯＳ端末装置１０Ｂの重量バランスを保つことができ、ＰＯＳ端末装置１０Ａを安定して設置できる。
【００２６】
本体１において、ＡＣアダプタ２２が収納されている前面１Ｂ側の高さは、上面に載置部１Ｃが設定されている背面１Ａ側の高さよりも低い。このため、ＡＣアダプタ２２の熱を素早く外部に放熱できる。
【００２７】
図５に示すように、この発明の第３の実施形態に係るＰＯＳ端末装置１０Ｃは、ＡＣアダプタ２２の上方に放熱板２２１を備えている。放熱板２２１は、一例として金属製板材のプレス加工によって傾斜面２２１Ａ、傾斜面２２１Ｂ、垂直面２２１Ｃ、水平面２２１Ｄを連結した形状に成形されている。傾斜面２２１Ａ及び傾斜面２２１Ｂは、ＡＣアダプタ２２の上面に三角形断面の空間２２２を設けて対向する。垂直面２２１Ｃは、ＡＣアダプタ２２の背面に対向する。水平面２２１Ｄは、下側前カバー３の内側面に接触し、図示しない固定ネジを介して固定される。傾斜面２２１Ａ及び傾斜面２２１Ｂの上面は、空間２２３を挟んで上側前カバー２に対向している。
【００２８】
平面視において放熱板２２１は、ＡＣアダプタ２２と少なくとも等しい大きさにされており、より好ましくはＡＣアダプタ２２よりも大きく形成されている。ＡＣアダプタ２２の熱は、主に上方の傾斜面２２１Ａ及び傾斜面２２１Ｂに伝播して放熱される。また、空間２２２，２２３内を空気が流通することにより、ＡＣアダプタ２２、傾斜面２２１Ａ及び傾斜面２２１Ｂの熱が効果的に放熱される。
【００２９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味及び範囲内でのすべての変更が含まれることが意図される。
【符号の説明】
【００３０】
１−本体
２−上側前カバー
３−下側前カバー
１０Ａ〜１０Ｃ−ＰＯＳ端末装置
１１−店舗側ディスプレイ（周辺機器）
１２−顧客側ディスプレイ（周辺機器）
１３−プリンタ（周辺機器）
１４−キーボード
２１−制御ユニット
２２−ＡＣアダプタ
２２１−放熱板
【図１】
2016051308.tif 000003
【図２】
2016051308.tif 000004
【図３】
2016051308.tif 000005
【図４】
2016051308.tif 000006
【図５】
2016051308.tif 000007